(57)【要約】【課題】誰もが、いつでもどこでも商品の内容物及び商品の包装容器を簡易に選択し、自らの商品として、小規模にも、試験的にも、包装充填する方法を提供すること。【解決手段】包装充填方法は、依頼者が包装充填を依頼する際に、インターネット２０を介して、依頼条件を持つ依頼者のコンピュータ２１が、包装充填条件データベースを備えたサーバコンピュータ２２と接続し、依頼条件と包装充填条件とに適った依頼者の包装充填情報を得、依頼者コンピュータ２１からの要求によりサーバコンピュータ２２から包装充填装置２３に包装充填情報を送信し、包装充填装置２３によって、包装充填情報に基づく商品内容物を充填し、該情報に基づく包装容器で包装する。【選択図】  図１
2004238019.tif 000002
【特許請求の範囲】
【請求項１】
依頼者が自己商品の包装充填を依頼する際に、インターネットを介して、依頼条件を持つ依頼者のコンピュータが、包装充填条件データベースを備えたサーバコンピュータと接続し、
該依頼条件と該包装充填条件とに適った依頼者の包装充填情報を得、
該依頼者コンピュータからの要求により該サーバコンピュータから該包装充填装置に該包装充填情報を送信し、
該包装充填装置によって、前記包装充填情報に基づく商品内容物を充填し、該情報に基づく包装容器で包装する包装充填方法。
【請求項２】
前記包装充填情報に基づく包装容器が、紙容器、瓶、缶及びプラスチック容器から選ばれる、請求項１記載の包装充填方法。
【請求項３】
前記包装充填情報に基づく商品内容物が、液体食品、流動食品、固形食品から選ばれる、請求項１記載の包装充填方法。
【請求項４】
該包装充填装置において該包装容器の外観表面に印刷するデザインが、前記包装充填情報に含まれている、請求項１記載の包装充填方法。
【請求項５】
包装充填装置において、下記包装充填情報に基づく商品内容物を充填し、該情報に基づく包装容器で包装する包装充填方法。
依頼者が自己商品の包装充填を依頼する際に、インターネットを介して、依頼条件を持つ依頼者のコンピュータと包装充填条件データベースを備えたサーバコンピュータとが接続されて得られた、該依頼条件と該包装充填条件とに適った依頼者の包装充填情報であって、該依頼者コンピュータからの要求により該サーバコンピュータから該包装充填装置に送信された包装充填情報。
【請求項６】
下記包装充填情報に基づく商品内容物を充填し、該情報に基づく包装容器で包装する包装充填装置。
インターネットを介して、依頼条件を持って自己商品の包装充填を依頼する依頼者のコンピュータと包装充填条件データベースを備えたサーバコンピュータとの接続によって得られた、該依頼条件と該包装充填条件とに適った依頼者の包装充填情報であって、該依頼者コンピュータからの要求により該サーバコンピュータから該包装充填装置に送信された包装充填情報。
【請求項７】
該包装充填装置の包装充填信号を該サーバコンピュータに送信する送信部を備え、該包装充填信号が該サーバコンピュータから該依頼者コンピュータに送信される、請求項６記載の包装充填装置。
【請求項８】
依頼条件を持つ依頼者が自己商品の包装充填を依頼する際に、インターネットを介して、包装充填条件データベースを備えたサーバコンピュータが包装充填条件を提示し、
該依頼条件と該包装充填条件とに適った依頼者の包装充填情報を該依頼者コンピュータからの要求により該サーバコンピュータから包装充填装置に該包装充填情報を送信し、
該包装充填装置によって、前記包装充填情報に基づく商品内容物を充填し、該情報に基づく包装容器で包装するようにする、包装充填提供方法。
【請求項９】
包装充填装置において、下記包装充填情報に基づく商品内容物を充填し、該情報に基づく包装容器で包装することによって得られる実績情報の一部若しくは全部を、該包装容器及び／または内容物の供給者のコンピュータがサーバコンピュータを介して受信し、該実績情報から該包装容器及び／または内容物の供給動向及び在庫管理を分析して商品管理する、商品管理方法。
依頼者が自己商品の包装充填を依頼する際に、インターネットを介して、依頼条件を持つ依頼者のコンピュータと包装充填条件データベースを備えたサーバコンピュータとが接続されて得られた、該依頼条件と該包装充填条件とに適った依頼者の包装充填情報であって、該依頼者コンピュータからの要求により該サーバコンピュータから該包装充填装置に送信された包装充填情報。
【発明の詳細な説明】
【０００１】
【産業上の利用分野】
この発明は、包装充填方法、包装充填装置、包装充填提供方法及び商品管理方法に関する。
【０００２】
【従来の技術】
一般的に、商品、例えば、ジュース、緑茶、乳製品などの液体食品、ペットフードなどの固形食品などは、製造者が商品内容物を生産し製造者自らその内容物を包装／充填し、卸業者及び小売り業者を経て消費者の手に渡る。また、卸業者及び小売り業者なども、自ら生産／製造しない商品であっても、自らの責任で商品を販売する。
【０００３】
【発明が解決しようとする課題】
上記の製造者、卸業者及び小売り業者のみならず、小グループ及び個人なども、限られた商品分野であるが、自らの責任で商品を販売することもある。しかしながら、小グループ及び個人など誰もが、いつでも、どこでも商品の内容物及び商品の包装容器を広い選択範囲内で簡易に選択することが難しい。
【０００４】
この発明の目的は、小グループ及び個人など誰もが、いつでも、どこでも商品の内容物及び商品の包装容器を広い選択範囲内で簡易に選択し、自らの商品として、小規模にも、試験的にも、包装充填する方法を提供すること、上記方法を使用できる包装充填装置を提供すること、誰もがいつでもどこでも自らの商品として小規模にも試験的にも包装充填することができる包装充填システムを提供すること、並びにその商品を管理する方法を提供することである。
【０００５】
【課題を解決するための手段】
この発明による包装充填方法は、依頼者が自己商品の包装充填を依頼する際に、インターネットを介して、依頼条件を持つ依頼者のコンピュータが、包装充填条件データベースを備えたサーバコンピュータと接続し、該依頼条件と該包装充填条件とに適った依頼者の包装充填情報を得、該依頼者コンピュータからの要求により該サーバコンピュータから該包装充填装置に該包装充填情報を送信し、該包装充填装置によって、前記包装充填情報に基づく商品内容物を充填し、該情報に基づく包装容器で包装する方法である。
【０００６】
この発明による包装充填方法の好ましい態様において、前記包装充填情報に基づく包装容器が、紙容器、瓶、缶及びプラスチック容器から選ばれる。
【０００７】
この発明による包装充填方法の好ましい態様において、前記包装充填情報に基づく商品内容物が、液体食品、流動食品、固形食品から選ばれる。
【０００８】
この発明による包装充填方法の好ましい態様において、該包装充填装置において該包装容器の外観表面に印刷するデザインが、前記包装充填情報に含まれている。
【０００９】
この発明による別の包装充填方法は、包装充填装置において、下記包装充填情報に基づく商品内容物を充填し、該情報に基づく包装容器で包装する。
依頼者が自己商品の包装充填を依頼する際に、インターネットを介して、依頼条件を持つ依頼者のコンピュータと包装充填条件データベースを備えたサーバコンピュータとが接続されて得られた、該依頼条件と該包装充填条件とに適った依頼者の包装充填情報であって、該依頼者コンピュータからの要求により該サーバコンピュータから該包装充填装置に送信された包装充填情報。
【００１０】
この発明による包装充填装置は、下記包装充填情報に基づく商品内容物を充填し、該情報に基づく包装容器で包装する。
インターネットを介して、依頼条件を持って自己商品の包装充填を依頼する依頼者のコンピュータと包装充填条件データベースを備えたサーバコンピュータとの接続によって得られた、該依頼条件と該包装充填条件とに適った依頼者の包装充填情報であって、該依頼者コンピュータからの要求により該サーバコンピュータから該包装充填装置に送信された包装充填情報。
【００１１】
この発明による包装充填装置の好ましい態様において、該包装充填装置の包装充填の実績信号を該サーバコンピュータに送信する送信部を備え、該包装充填の実績信号が該サーバコンピュータから該依頼者コンピュータに送信される。
【００１２】
この発明による包装充填提供方法は、依頼条件を持つ依頼者が自己商品の包装充填を依頼する際に、インターネットを介して、包装充填条件データベースを備えたサーバコンピュータが包装充填条件を提示し、
該依頼条件と該包装充填条件とに適った依頼者の包装充填情報を該依頼者コンピュータからの要求により該サーバコンピュータから包装充填装置に該包装充填情報を送信し、
該包装充填装置によって、前記包装充填情報に基づく商品内容物を充填し、該情報に基づく包装容器で包装する。
【００１３】
この発明による商品管理方法は、包装充填装置において、下記包装充填情報に基づく商品内容物を充填し、該情報に基づく包装容器で包装することによって得られる実績情報の一部若しくは全部を、該包装容器及び／または内容物の供給者のコンピュータがサーバコンピュータを介して受信し、該実績情報から該包装容器及び／または内容物の供給動向及び在庫管理を分析して商品管理する。
依頼者が自己商品の包装充填を依頼する際に、インターネットを介して、依頼条件を持つ依頼者のコンピュータと包装充填条件データベースを備えたサーバコンピュータとが接続されて得られた、該依頼条件と該包装充填条件とに適った依頼者の包装充填情報であって、該依頼者コンピュータからの要求により該サーバコンピュータから該包装充填装置に送信された包装充填情報。
【００１４】
【発明の実施の形態】
図１は、この発明による包装充填方法若しくは包装充填提供方法を使用するシステム例の概略図である。
図２は、この発明による包装充填装置例の概略図である。
【００１５】
図１に示す態様の包装充填方法若しくは包装充填提供方法では、小グループ及び個人など誰もが、いつでも、どこでも商品の内容物及び商品の包装容器を広い選択範囲内で簡易に選択し、自らの商品として、小規模にも、試験的にも、包装充填する。
図１に示す態様では、例えば、個人、グループ、企業、代理店、イベントなどの主催者、公共団体など依頼者が自己商品の包装充填を依頼する際に、インターネット２０を介して、依頼条件を持つ依頼者のコンピュータ（２１ａ，２１ｂ，２１ｃ，２１ｄ，２１ｅ）の単数若しくは複数が、包装充填条件データベースを備えたサーバコンピュータ２２と接続し、その依頼条件と包装充填条件とに適った依頼者の包装充填情報を確立する。その情報を確立した依頼者コンピュータからの要求により、サーバコンピュータ２２から包装充填装置（２３ａ，２３ｂ，２３ｃ，２３ｄ）の一に若しくは複数にその包装充填情報を送信する。その情報を受けた包装充填装置によって、前記包装充填情報に基づく商品内容物を充填し、該情報に基づく包装容器で包装する。
【００１６】
この態様では、インターネット２２を介して、依頼条件を持つ依頼者のコンピュータと包装充填条件ＤＢを備えたサーバコンピュータ２２とを結び、依頼者の依頼条件に応じた包装充填条件を提供する。
その包装充填条件ＤＢは、包装充填すべき商品内容物及び包装容器の種類、包装容器の外観表面に印刷する容器デザイン及び価格と共に、種々の条件を備え、サーバコンピュータと接続可能なように設置されている。
【００１７】
図２に示す包装充填装置例では、繊維質基材（例えば、紙など）／プラスチック積層体に折目線が付けられたウェブ状包装材料１のロールを、その長手方向の一端にシーリングテープをアプリケータ３で接合し、成形ロール６及び縦線シール装置８によりチューブ状に成形し、チューブ状に成形された包装材料内に内容物を充填パイプ７から充填し、チューブ状包装材料の横断方向に横線シール装置１０及び１１で横シールし、一定間隔に個々に切断し、クッション形若しくは枕状の一次形状容器１３に成形し、折目線に沿ってフラップ片を折畳んでブリック状の最終形状容器１４に成形される。
この発明において用いられる包装充填装置は、包装充填情報に基づく包装容器としての、紙容器、瓶、缶及びプラスチック容器などに、包装充填情報に基づく商品内容物としての、液体食品、流動食品、固形食品などが包装充填する。従って、それぞれ異なるデザインが印刷された包装材料のロール（１ａ，１ｂ，１ｃ）から、サーバコンピュータ２２から送信された包装充填情報に基づいて、一の包装材料のロールが選択され、包装充填情報に基づく商品内容物の製品タンク（７ａ，７ｂ，７ｃ，７ｄ）から、オレンジジュース、リンゴジュース、清涼飲料水などの商品内容物が選ばれ、選択された容器に選択された内容物が充填される。
【００１８】
図２に示す包装充填装置の態様では、包装充填装置の包装充填の実績信号をサーバコンピュータに送信する送信部を備え、包装充填の実績信号がサーバコンピュータから依頼者コンピュータに送信される。依頼者は、自己の商品の包装充填の状況を即時に知ることができる。
【００１９】
図３に示すこの発明による商品管理方法の態様では、包装充填装置において、包装充填情報に基づく商品内容物を充填し、包装充填情報に基づく包装容器で包装することによって得られる実績情報の一部若しくは全部を、包装容器及び／または内容物の供給者のコンピュータ（２４ａ，２４ｂ，２４ｃ）がサーバコンピュータ２２を介して受信し、実績情報から包装容器及び／または内容物の供給動向及び在庫管理を分析して商品管理する。
この包装充填情報は、依頼者が自己商品の包装充填を依頼する際に、インターネット２０を介して、依頼条件を持つ依頼者のコンピュータ（２１ａ，２１ｂ，２１ｃ，２１ｄ，２１ｅ）と包装充填条件データベースを備えたサーバコンピュータ２２とが接続されて得られた、依頼条件と包装充填条件とに適った依頼者の包装充填情報であって、依頼者コンピュータからの要求によりサーバコンピュータ２２から包装充填装置（２３ａ，２３ｂ，２３ｃ，２３ｄ）に送信された情報である。
上記態様では、供給者コンピュータ（２４ａ，２４ｂ，２４ｃ）とサーバコンピュータ２２との間の送受信は、インターネットを介して行われたが、専用回線、無線を使った通信でもよい。
【００２０】
この発明における「依頼者の包装充填情報」が得られる手順を、図４を参照して、説明する。サーバコンピュータがインターネット上で包装充填依頼を募集するウェブサイト（ホームページ、ＨＰ）を公開・提供する。依頼者はインターネットを介して、上記ＨＰに接続する。依頼者の求めに応じてＨＰ側が依頼条件の入力画面を提供し入力を促す。依頼者は入力画面で所定の欄に、商品内容物及び包装容器の種類、包装容器の外観表面に印刷する容器デザイン及び価格、数量などを入力し、依頼者が入力データを送信する。送信したデータに基づき、サーバコンピュータが、商品内容物データベース、包装容器データベース、容器デザインデータベース、価格データベース、数量データベースなどのデータベースと照合して、適合する条件をＨＰ上で依頼者に提示する。依頼者は提示された条件に同意するか否かを促される。同意した場合、同意の意思を送信し、契約が成立する。一方、不同意の場合、その意思を送信し、再度、入力画面に戻る。
【００２１】
この発明により、小グループ及び個人など誰もが、いつでも、どこでも商品の内容物及び商品の包装容器を広い選択範囲内で簡易に選択し、自らの商品として、小規模にも、試験的にも、包装充填することができる。
この発明のシステムにより、インターネットを介して、手軽に、いずれの場所から、必要な時期に、必要な個人も、必要な内容物を包装充填することができる。
【図面の簡単な説明】
【図１】この発明による包装充填方法若しくは包装充填提供方法を使用する例の概略図である。
【図２】この発明による包装充填装置例の概略図である。
【図３】この発明による商品管理方法を使用する例の概略図である。
【図４】この発明による包装充填依頼を行う手順例を示すフローチャートである。
【符号の説明】
２０  インターネット
２１  依頼者コンピュータ
２２  サーバコンピュータ
２３  包装充填装置
【図１】
2004238019.tif 000003
【図２】
2004238019.tif 000004
【図３】
2004238019.tif 000005
【図４】
2004238019.tif 000006